【手続補正書】
【提出日】平成26年9月18日(2014.9.18)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果が導出される前に、入賞について発生を許容するか否かを決定する事前決定手段と、
遊技者が表示結果を導出させるために操作する導出操作手段と、
前記事前決定手段の決定結果および前記導出操作手段の操作に応じて表示結果を導出する制御を行う導出制御手段と、
所定状態と該所定状態よりも遊技者に有利な有利状態とを含む複数種類の状態のうちのいずれかに制御する状態制御手段と、
遊技の進行における所定の契機で報知条件を設定し、該報知条件にしたがって前記事前決定手段の決定結果に応じた結果情報を報知するための制御を行う報知制御手段とを備え、
前記状態制御手段は、
前記事前決定手段の決定結果が第１決定結果であるときには、該第１決定結果に対応する第１手順で前記導出操作手段が操作されることで前記有利状態へ制御可能であり、該第１手順以外の手順で操作されることで前記有利状態へ制御せず、
前記事前決定手段の決定結果が第２決定結果であるときには、前記第１手順とは異なる該第２決定結果に対応する第２手順で前記導出操作手段が操作されることで前記有利状態へ制御可能であり、該第２手順以外の手順で操作されることで前記有利状態へ制御せず、
前記事前決定手段の決定結果が前記第１決定結果であるとき、前記第２決定結果であるとき、のいずれであっても、前記第１手順でもなく前記第２手順でもない予め定められた共通手順で前記導出操作手段が操作されたときには、前記有利状態へ制御せず、
さらに前記スロットマシンは、前記報知制御手段により前記事前決定手段の決定結果に応じた結果情報を報知しておらず、かつ、前記共通手順以外の手順で前記導出操作手段が操作されたときには、前記共通手順で操作されたときには行われることのない遊技者にとって不利な不利制御を行うことが可能であり、
前記報知制御手段は、前記報知条件を設定するための報知設定条件が成立したときであっても、前記不利制御が行なわれているときには、前記不利制御が行なわれていないときよりも遊技者にとっての有利度合いを低下させ、
前記スロットマシンは、前記共通手順以外の手順で前記導出操作手段が操作されたときにおいて、前記結果情報が報知されているときには所定の警告演出を実行せず、前記結果情報が報知されていないときには前記所定の警告演出を実行可能な演出実行手段を備えることを特徴とする、スロットマシン。
【手続補正２】
【補正対象書類名】明細書
【補正対象項目名】０００１
【補正方法】変更
【補正の内容】
【０００１】
本発明は、たとえば、スロットマシンに関する。詳しくは、各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンに関する。
【手続補正３】
【補正対象書類名】明細書
【補正対象項目名】０００７
【補正方法】変更
【補正の内容】
【０００７】
しかしながら、特許文献１のスロットマシンでは、遊技者にとって有利な状態における遊技の興趣を向上させることができなかった。
【手続補正４】
【補正対象書類名】明細書
【補正対象項目名】０００８
【補正方法】変更
【補正の内容】
【０００８】
この発明は、かかる実情に鑑み考え出されたものであり、その目的は、有利な状態において遊技の興趣を向上させるスロットマシンを提供することである。
【手続補正５】
【補正対象書類名】明細書
【補正対象項目名】０００９
【補正方法】変更
【補正の内容】
【０００９】
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果が導出される前に、入賞について発生を許容するか否かを決定する事前決定手段と、
遊技者が表示結果を導出させるために操作する導出操作手段と、
前記事前決定手段の決定結果および前記導出操作手段の操作に応じて表示結果を導出する制御を行う導出制御手段と、
所定状態と該所定状態よりも遊技者に有利な有利状態とを含む複数種類の状態のうちのいずれかに制御する状態制御手段と、
遊技の進行における所定の契機で報知条件を設定し、該報知条件にしたがって前記事前決定手段の決定結果に応じた結果情報を報知するための制御を行う報知制御手段とを備え、
前記状態制御手段は、
前記事前決定手段の決定結果が第１決定結果であるときには、該第１決定結果に対応する第１手順で前記導出操作手段が操作されることで前記有利状態へ制御可能であり、該第１手順以外の手順で操作されることで前記有利状態へ制御せず、
前記事前決定手段の決定結果が第２決定結果であるときには、前記第１手順とは異なる該第２決定結果に対応する第２手順で前記導出操作手段が操作されることで前記有利状態へ制御可能であり、該第２手順以外の手順で操作されることで前記有利状態へ制御せず、
前記事前決定手段の決定結果が前記第１決定結果であるとき、前記第２決定結果であるとき、のいずれであっても、前記第１手順でもなく前記第２手順でもない予め定められた共通手順で前記導出操作手段が操作されたときには、前記有利状態へ制御せず、
さらに前記スロットマシンは、前記報知制御手段により前記事前決定手段の決定結果に応じた結果情報を報知しておらず、かつ、前記共通手順以外の手順で前記導出操作手段が操作されたときには、前記共通手順で操作されたときには行われることのない遊技者にとって不利な不利制御を行い、
前記報知制御手段は、前記報知条件を設定するための報知設定条件が成立したときであっても、前記不利制御が行なわれているときには、前記不利制御が行なわれていないときよりも遊技者にとっての有利度合いを低下させ、
前記スロットマシンは、前記共通手順以外の手順で前記導出操作手段が操作されたときにおいて、前記結果情報が報知されているときには所定の警告演出を実行せず、前記結果情報が報知されていないときには前記所定の警告演出を実行可能な演出実行手段を備える。
なお、以下の構成を備えるものでもよい。
１ゲームに対して賭数を設定することによりゲームが開始可能となるとともに、表示状態を変化させることが可能な可変表示装置に表示結果が導出されることにより１ゲームが終了し、該可変表示装置の表示結果に応じて入賞が発生可能とされたスロットマシン（スロットマシン１）であって、
前記可変表示装置に表示結果が導出される前に、複数種類の入賞について発生を許容するか否かを決定する事前決定手段（内部抽選処理）と、
前記可変表示装置に表示結果を導出させるための操作を受付ける導出操作受付手段（ストップスイッチ８Ｌ〜８Ｒ）と、
前記事前決定手段の決定結果および前記導出操作受付手段が受付けた操作に応じて、前記可変表示装置に表示結果を導出させる制御を行なう手段であって、前記事前決定手段の決定結果が所定結果（リプＧＲ１〜リプＧＲ４、左押しブドウ１などバナナブドウを含む当選状況など）となった場合において、当該所定結果に対応して予め定められた有利手順で前記導出操作受付手段により操作が受付けられたときには、前記有利手順と異なる手順で前記導出操作受付手段により操作が受付けられたときに導出させる表示結果よりも遊技者にとって有利な有利表示結果（リプＧＲ１あるいはリプＧＲ２：昇格リプレイの図柄組合せ、リプＧＲ３あるいはリプＧＲ４：転落リプレイの図柄組合せ、バナナブドウを含む当選状況：ブドウ１〜８）を導出させる制御を行なう導出制御手段（リール回転処理、図８（ａ）（ｂ）参照）と、
報知期間（ＡＴ）において前記事前決定手段の決定結果が前記所定結果となった場合に、当該所定結果に対応する有利手順を特定するための情報（ナビ演出）を報知する報知手段（ナビ演出実行処理、液晶表示器５１）と、
有利条件（図１０、図１１、図１７、図１８、ナビストック数）が設定されたことに基づいて制御される状態であって、当該有利条件に対応する有利終了条件が成立（ＡＴから非ＡＴに制御するときのＡＴフラグがナビストック数０であるとき）して前記有利条件が設定されていない通常状態（ＡＴフラグからＡＴでない旨が特定される状態）となるまで、前記報知期間となる割合が前記通常状態であるときよりも高い有利状態（ＡＴである旨を示すＡＴフラグがセットされている状態）に制御する有利状態制御手段（第１ＡＴ抽選処理、第２ＡＴ抽選処理、ＡＴ管理処理）と、
前記有利状態において報知期間が終了した後に再び報知期間となり得るまでの非報知期間（潜伏期間）を決定する非報知期間決定手段（図１９参照）と、を備え、
前記非報知期間決定手段は、一の報知期間以前の非報知期間（一連のＡＴにおける潜伏期間のうち過去５回または３回までの潜伏期間）が所定期間（比較的短い潜伏期間）以下であることを示す特殊条件が成立している場合（たとえば、過去５回または３回までの潜伏期間のうちいずれも比較的長い潜伏期間でないとき、短潜伏連続カウンタの値が５以上または３以上であるとき）には、成立していない場合（たとえば、短潜伏連続カウンタの値が４以下または２以下であるとき）に比べて、当該一の報知期間終了後の非報知期間の期待値が大きくなる（平均化される長さが長くなる）ように非報知期間を決定する（図１９参照）。